【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
吊り下げ式の位置測定テープ（９０）を有するエレベータ用の、前記位置測定テープ（９０）の長さの重大な変化を検出するためのセンサ装置であって、
キャリア（１０）であって、前記キャリア（１０）を前記エレベータの固定部分に取り付けるための取り付け要素を有するキャリア（１０）と、
前記キャリア（１０）に配置されたキャリッジ（２０）と、
前記キャリッジ（２０）に配置され、前記位置測定テープ（９０）を定位置に固定するとともに、前記位置測定テープ（９０）の長さ位置を大まかに設定するための少なくとも１つの固定要素を有する、テープホルダ（８）と、
前記キャリア（１０）と前記キャリッジ（２０）との間に設けられた案内装置（５０）であって、前記キャリッジ（２０）を取り付けられる前記位置測定テープ（９０）の平行方向に変位可能に前記キャリア（１０）に固定するための、複数の案内要素を前記キャリア（１０）および前記キャリッジ（２０）に有する案内装置（５０）と、
前記キャリア（１０）と前記キャリッジ（２０）との間に設けられた引張装置（６０）であって、前記キャリア（１０）と前記キャリッジ（２０）とに設けられた複数の係合要素と、前記キャリッジ（２０）を固定された前記位置測定テープの方向とは逆に動かして固定された前記位置測定テープを引っ張ることを可能にするために、前記複数の係合要素に固定された引張要素とを有する引張装置（６０）と、
前記キャリア（１０）に配置された前記キャリッジ（２０）の重大な変位を、取り付けられる前記位置測定テープ（９０）の長さの重大な変化に基づいて検出し、重大な変位を検出した場合に信号を出力するための検出装置（７０）であって、重大な変位の位置を特定するための少なくとも１つの起動要素と、重大な変位が生じた場合に前記起動要素を検出するためのセンサとを有し、前記起動要素および前記センサは前記キャリア（１０）と前記キャリッジ（２０）とに交互に固定された、検出装置（７０）と、を備え、
前記少なくとも１つの起動要素と前記センサとの間の距離を設定可能にするために調節装置（８０）を備え、前記調節装置は、取り付けられる前記位置測定テープ（９０）の前記キャリッジ（２０）に対する前記長さ位置を調節可能にするために、前記テープホルダ（８）の前記キャリッジ（２０）に対する位置を取り付けられる前記位置測定テープ（９０）の平行方向に設定するための少なくとも１つの調節要素を前記キャリッジ（２０）と前記テープホルダ（８）とに有する、あるいは前記少なくとも１つの起動要素と前記センサとの間の距離を設定するための少なくとも１つの調節要素を前記キャリア（１０）と前記キャリッジ（２０）とに有する調節装置を備えることを特徴とする、センサ装置。
【請求項２】
前記検出装置（７０）は、
取り付けられる前記位置測定テープ（９０）に重大な伸びが生じた場合に前記キャリッジ（２０）の位置を特定する、第１の起動要素と、
取り付けられる前記位置測定テープ（９０）に重大な縮みが生じた場合に前記キャリッジ（２０）の位置を特定する、第２の起動要素と
を備えることを特徴とする、請求項１に記載のセンサ装置。
【請求項３】
前記少なくとも１つの起動要素と前記センサとの間の距離を、測定される前記位置測定テープ（９０）の長さの重大な変化に相当する、特定の重大な距離に設定可能にするために、具体的には、２つの起動要素が設けられている場合は前記２つの起動要素の間の中央の位置に前記センサを設置可能にするために、前記キャリア（１０）またはキャリッジ（２０）にマーキング要素（８４）を備える、請求項１又は２に記載のセンサ装置。
【請求項４】
前記引張装置（６０）は第１の設定装置を構成し、
前記調節装置（８０）は第２の設定装置を構成し、
各設定装置は、取り付けられる前記位置測定テープ（９０）の前記検出装置（７０）に対する位置、具体的には前記起動要素または前記センサに対する位置、を変えるための設定装置であることを特徴とする、請求項１〜３のいずれか１つに記載のセンサ装置。
【請求項５】
前記センサ装置では、金属、具体的にはスチールテープ、で構成され、具体的には複数の二次元光コード（９１）の列を有する、前記位置測定テープ（９０）が固定され、および／または
前記位置測定テープ（９０）の長さの重大な変化とは、特定の別々の閾値または共通の閾値を超えた伸びまたは縮みに相当し、および／または
取り付けられる前記位置測定テープ（９０）の前記方向とは、取り付けられる前記位置測定テープ（９０）の上端に向かう方向であり、取り付けられる前記位置測定テープ（９０）の前記平行方向とは、取り付けられる前記位置測定テープ（９０）の方向およびその反対方向において平行であることを特徴とする、請求項１〜４のいずれか１つに記載のセンサ装置。
【請求項６】
前記キャリア（１０）の前記取り付け要素はネジ穴（１１）であり、および／または
前記キャリア（１０）は、前記エレベータの下端、具体的には前記エレベータの床、に取り付けられるものであることを特徴とする、請求項１〜５のいずれか１つに記載のセンサ装置。
【請求項７】
前記テープホルダ（８）の前記少なくとも１つの固定要素は、前記位置測定テープ（９０）を通すための２つの凹部（４１）を提供し、および／または
前記位置測定テープ（９０）は、その下端が固定されることを目的としたものであり、および／または
前記テープホルダ（８）は、前記キャリッジ（２０）に定位置で固定され、および／または
前記テープホルダ（８）の前記固定要素に取り付けられた前記位置測定テープ（９０）の前記長さ位置、前記キャリッジ（２０）および前記キャリア（１０）に対する前記位置測定テープ（９０）の前記長さ位置、の大まかな設定は、前記位置測定テープ（９０）の前記平行方向に行われることを特徴とする、請求項１〜６のいずれか１つに記載のセンサ装置。
【請求項８】
前記案内装置（５０）の前記複数の案内要素は、前記キャリア（１０）に複数の溝（５１）および複数の支持領域（５３）を有し、前記キャリッジ（２０）に複数の突起（５２）および複数のランナー（５４）を有し、前記複数の突起は、案内を行う目的で前記複数の溝（５１）に係合し、前記複数のランナー（５４）は、案内を行う目的で前記複数の支持領域（５３）上をスライドすることを特徴とする、請求項１〜７のいずれか１つに記載のセンサ装置。
【請求項９】
前記引張装置（６０）の前記複数の係合要素は複数の小穴であり、および／または
前記引張装置（６０）の前記引張要素は、前記引張装置（６０）の前記複数の係合要素に引っ掛けられた複数のフック要素（６４）を有するバネ（６３）であることを特徴とする、請求項１〜８のいずれか１つに記載のセンサ装置。
【請求項１０】
前記検出装置（７０）の前記複数の起動要素は、複数のボタン要素、具体的には複数の傾斜要素、であり、前記センサは、前記キャリッジ（２０）に重大な変位が発生した場合に、前記複数の傾斜要素によって起動される触覚センサ（７３）であり、および／または
前記キャリッジ（２０）の前記重大な変位は、取り付けられる前記位置測定テープ（９０）の長さの重大な変化によって生じることを特徴とする、請求項１〜９のいずれか１つに記載のセンサ装置。
【請求項１１】
前記調節装置（８０）の前記複数の調節要素は、前記テープホルダ（８）に一列に並んだ複数の穴（８１）と、前記キャリッジ（２０）に２つのネジ穴と、関連する２つのネジとを有し、前記キャリッジ（２０）の前記複数のネジ穴に挿入された前記複数のネジを用いて前記テープホルダ（８）を前記キャリッジ（２０）に固定するために、前記一列に並んだ複数の穴（８１）のうち異なる複数の穴を任意に選択することが可能であることを特徴とする、請求項１〜１０のいずれか１つに記載のセンサ装置。
【請求項１２】
前記センサ装置は、取り付けられる前記位置測定テープ（９０）の方向に覆いを設けるための保護要素、
具体的には、取り付けられる前記位置測定テープ（９０）の方向に位置する前記キャリア（１０）の端部に設けられた広範囲にわたる突起、を有し、
前記位置測定テープ（９０）の上端の方向から落下し得る物体を、前記物体が前記キャリッジ（２０）に当たる前にその進路を変えることを特徴とする、請求項１〜１１のいずれか１つに記載のセンサ装置。
【請求項１３】
請求項１〜１２のいずれか１つに記載のセンサ装置を備えるエレベータ。